(57)【特許請求の範囲】
【請求項１】
非エンベロープウイルスが付着した繊維品を、殺菌、洗浄、非エンベロープウイルスの不活化を行うために洗濯機にかけて洗濯する際、０．１〜０．５質量％の濃度範囲となるよう希釈された状態で用いられる洗濯用液体殺菌洗浄剤組成物であって、
下記の（Ａ）〜（Ｃ）成分が下記の割合で含有されており、０．１質量％水溶液の２５℃におけるｐＨが１０．５〜１１．５の範囲であり、非エンベロープウイルスに対する不活化性を有することを特徴とする洗濯用液体殺菌洗浄剤組成物。
（Ａ）アルキルジメチルベンジルアンモニウムクロライドである第四級アンモニウム塩  １〜１０質量％。
（Ｂ）アルカリ水酸化物、炭酸塩、ケイ酸塩およびアルカノールアミンからなる群より選ばれる少なくとも一種であり、少なくともアルカリ水酸化物、炭酸塩、ケイ酸塩のいずれかを含むアルカリ剤  １〜２０質量％。
（Ｃ）クエン酸、グルコン酸、コハク酸、トリポリリン酸、ヒドロキシエチルエチレンジアミントリ酢酸、エチレンジアミンテトラ酢酸、ジエチレントリアミンペンタ酢酸、ニトリロトリ酢酸、トリエチレンテトラミンヘキサ酢酸、ホスホン酸類、Ｌ−グルタミン酸二酢酸、メチルグリシン二酢酸およびそれらのアルカリ金属塩からなる群より選ばれる少なくとも一種であるキレート剤  ３〜１０質量％。
【請求項２】
上記（Ａ）〜（Ｃ）成分とともに、（Ｄ）成分として、非イオン界面活性剤を１〜３０質量％含有する請求項１記載の洗濯用液体殺菌洗浄剤組成物。
【請求項３】
上記非エンベロープウイルスが、カリシウイルス科ウイルスである請求項１または２記載の洗濯用液体殺菌洗浄剤組成物。
【請求項４】
上記カリシウイルス科ウイルスが、ノロウイルス属ウイルスである請求項３記載の洗濯用液体殺菌洗浄剤組成物。
【請求項５】
請求項１〜４のいずれか一項に記載の洗濯用液体殺菌洗浄剤組成物を、０．１〜０．５質量％の濃度範囲となるよう希釈して洗濯液として用いて、非エンベロープウイルスが付着した繊維品を洗濯機にかけて洗濯することにより、上記繊維品に対して、殺菌、洗浄とともに、非エンベロープウイルスの不活化を行うことを特徴とする繊維品における非エンベロープウイルスの不活化方法。
【発明の詳細な説明】
【技術分野】
【０００１】
本発明は、非エンベロープウイルスに対する不活化性を有する洗濯用液体殺菌洗浄剤組成物およびそれを用いた繊維品における非エンベロープウイルスの不活化方法に関する。
【背景技術】
【０００２】
食品製造および調理施設、医療施設、介護施設で衛生管理対策に苦慮している理由の一つとして、カリシウイルス科のノロウイルスによる食中毒があげられる。平成１８年度は発生件数、患者数共にノロウイルスによる食中毒の発生率が最も高く、その感染力の強さに起因して大規模な食中毒も多く発生している。また、ノロウイルスによる食中毒の原因は、カキ等の２枚貝を食することにあるといわれていたが、最近では、食品、糞便や嘔吐物に含まれるノロウイルスが、人から人へ感染すること、さらに、汚染された食品や水を介して清浄な表面に接触すること等により広がってしまうといった二次汚染が主原因であることがわかってきた。この二次汚染を防ぐためには、手洗いの徹底、まな板、包丁等の調理器具・用具の殺菌、調理台・作業台の殺菌、トイレのドアノブや便座、医療器具の洗浄はもとより、衣類等に付着した嘔吐物や排泄物の処理方法等が重要となってくる。
【０００３】
特に、介護を必要とする者が着用する介護用衣料や、新生児のおしめ等の衣料には、尿や便といった排泄物の汚れが多量に付き、また排泄物中に含まれる細菌やウイルスが衣料内部で繁殖することにより、極めて不衛生な汚れを形成する。このような汚れに対して、皮脂汚れや泥汚れ等を対象とした通常の液体洗剤では、充分に除菌洗浄することができないため、上記排泄物特有の汚れを対象とした液体除菌洗浄剤が開発されている。
【０００４】
例えば、（ａ）界面活性剤と、（ｂ）エタノールアミンと、（ｃ）キレート剤と、（ｄ）水溶性炭酸塩とを特定の割合で配合することにより、ベビー用衣料特有の尿や便に由来する汚れと、食品汚れ、皮脂汚垢、泥汚れ等の通常の衣服に付く汚れとの双方に対する洗浄効果の向上を企図した液体洗浄剤組成物が開示されている（特許文献１を参照）。
【０００５】
また、（Ａ）アニオン界面活性剤、両性界面活性剤および非イオン界面活性剤の一種または二種以上を混合した界面活性剤と、（Ｂ）特定のアミノポリカルボン酸およびその塩を一種または二種以上混合したキレート剤と、（Ｃ）従来の洗浄剤に常用されているアルカリ剤とを、特定の割合で配合することにより、下着等に特有な汚れ（ビリルビン汚れ）に対する洗浄効果の向上を企図した洗浄剤が開示されている（特許文献２を参照）。
【０００６】
また、お絞り、タオル、オムツ、シーツ、浴衣やパジャマ等の夜着、下着等の繊維製品の殺菌や柔軟処理、紙等の清浄剤として使用することのできる殺菌および柔軟剤組成物として、硼砂と、ポリアミノモノカルボン酸と、塩化ベンザルコニウムおよびシリコーン系風合改良剤を主成分とする組成物が開示されている（特許文献３を参照）。
【０００７】
ところで、ノロウイルスは、ＲＮＡのみを持ったＲＮＡ型ウイルスで、ＲＮＡの周りがカプシドと呼ばれるたんぱく質の殻で覆われており、エンベロープと呼ばれる糖と脂質からなる膜を持っていない非エンベロープウイルスである。このため、エンベロープを持っているウイルスのように、薬剤により簡単にエンベロープが破壊され、宿主細胞のレセプターと結合できなくなって不活化されることがなく、薬剤による不活化が難しいという問題がある。
【０００８】
現在、ノロウイルスの不活化の方法としては、次亜塩素酸ナトリウム溶液を用いる方法や、熱湯消毒による方法が知られている（非特許文献１を参照）。しかし、熱湯消毒では、８５℃以上の温度を保持することが望ましいが、被消毒物に熱湯をかけると、被消毒物との接触によって温度が低下してしまい、所望の温度を保持することが困難であることや、やけどの危険があり、安全性に乏しいものとなっている。
【０００９】
また、次亜塩素酸ナトリウム溶液による消毒方法では、被消毒物によっては、次亜塩素酸ナトリウムの漂白作用・効果により脱色されてしまうことや、作業場内に塩素臭が充満するといった安全上の問題もある。
【００１０】
さらに、まな板や包丁等の調理器具の除菌には、一般的にアルコールが用いられているが、アルコールは、ノロウイルスの代替ウイルスであるネコカリシウイルスＦ９株に対しての不活化効果に乏しいことが知られている（非特許文献２および３を参照）。
【００１１】
また、カチオン系界面活性剤が配合されている除菌剤では、食中毒菌に対しては効果を発揮するが、ウイルスに対しては不活化効果がないことが知られている（非特許文献３および４を参照）。
【００１２】
一方、カチオン系界面活性剤を使用し、アルカリ剤を加えるとウイルスの不活化が認められるようになるという報告もある（非特許文献５および６を参照）。
【００１３】
また、エタノール、アルカリ物質およびカチオン系殺菌剤の組み合わせはネコカリシウイルスの不活化に有効であり、ウイルスを含む微生物に汚染された硬表面の消毒への応用が期待できるとの報告もある（非特許文献７を参照）。
【００１４】
さらに、ポリヘキサメチレンビグアナイド系化合物を０．０５〜０．５重量％含み、ｐＨが９〜１２の範囲にある消毒液であって、塩化ベンザルコニウム、塩化セチルビリジニウム、フエノキシエタノール、グルコン酸クロロヘキシジン、ラウリル硫酸塩等の他の抗菌成分を含有させることができる、肌に優しくノロウイルスの不活化効果を有する消毒液および消毒用物品が開示されている（特許文献４を参照）。
【先行技術文献】
【特許文献】
【００１５】
【特許文献１】特開平１１−５９９７号公報
【特許文献２】特開昭６３−６０９７号公報
【特許文献３】特許第２５０６１２５号公報
【特許文献４】特開２００７−４５７３２号公報
【非特許文献】
【００１６】
【非特許文献１】「ノロウイルス食中毒対策について（提言）」薬事・食品衛生審議会食品衛生分科会食中毒部（平成１９年１０月１２日）
【非特許文献２】「Ｉｎａｃｔｉｖａｔｉｏｎ  ｏｆ  Ｃａｌｉｃｉｖｉｒｕｓｅｓ」、Ａｍｅｒｉｃａｎ  Ｓｏｃｉｅｔｙ  ｆｏｒ  Ｍｉｃｒｏｂｉｏｌｏｇｙ、Ｖｏｌ．７０、Ｎｏ．８、４５３８−４５４３（２００４）
【非特許文献３】「Ｉｎａｃｔｉｖａｔｉｏｎ  ｏｆ  ｆｅｌｉｎｅ  ｃａｌｉｃｉｖｉｒｕｓ，  ａ  Ｎｏｒｗａｌｋ  ｖｉｒｕｓ  ｓｕｒｒｏｇａｔｅ」、Ｊ．Ｈｏｓｐ．Ｉｎｆｅｃｔ、４１，５１−５７（１９９９）
【非特許文献４】「Ｖｉｒｕｃｉｄａｌ  Ｄｉｓｉｎｆｅｃｔａｎｔｓ  ａｎｄ  Ｆｅｌｉｎｅ  Ｖｉｒｕｓｅｓ」、Ａｍ．Ｊ．Ｖｅｔ．Ｒｅｓ．  Ｖｏｌ．４１、Ｎｏ．３、４１０−４１４（１９８０）
【非特許文献５】「Ｅｆｆｉｃａｃｙ  ｏｆ  ｃｏｍｍｏｎｌｙ  ｕｓｅｄ  ｄｉｓｉｎｆｅｃｔａｎｔｓ  ｆｏｒ  ｔｈｅ  ｉｎａｃｔｉｖａｔｉｏｎ  ｏｆ  ｃａｌｉｃｉｖｉｒｕｓ  ｏｎ  ｓｔｒａｗｂｅｒｒｙ，ｌｅｔｔｕｃｅ，ａｎｄ  ｆｏｏｄ−ｃｏｎｔａｃｔ  ｓｕｒｆａｃｅ」、Ｊ．Ｆｏｏｄ．Ｐｒｏｔ．  ６４，１４３０−１４３４（２００１）
【非特許文献６】「Ｅｆｆｅｃｔｓ  ｏｆ  ｑｕａｔｅｒｎａｒｙ  ａｍｍｏｎｉｕｍ  ｃｏｍｐｏｕｎｄｓ  ｗｉｔｈ  ０．１％  ｓｏｄｉｕｍ  ｈｙｄｒｏｘｉｄｅ  ｏｎ  ｓｗｉｎｅ  ｖｅｓｉｃｕｌａｒ  ｄｉｓｅａｓｅ  ｖｉｒｕｓ」、Ｊ．Ｖｅｔ．Ｍｅｄ．Ｓｃｉ．  ５９，３２３−３２８（２００７）
【非特許文献７】「ノロウイルス代替のネコカリシウイルスおよび各種微生物に有効なエタノール製剤の開発」、防菌防黴、Ｖｏｌ．３５，Ｎｏ．１１，７２５−７３２（２００７）
【発明の概要】
【発明が解決しようとする課題】
【００１７】
しかしながら、これらの文献に記載された技術内容や組成物は、それぞれが特定の性能を満たすに過ぎず、しかも、原液あるいは高濃度における評価および使用に限定されており、低濃度で使用される洗濯用洗剤に応用しても、満足のいく効果が得られていないのが実情である。
【００１８】
本発明は、このような事情に鑑みなされたもので、特定の第四級アンモニウム塩とアルカリ剤およびキレート剤の組み合わせにより、低濃度においても非エンベロープウイルスに対する不活化性を有するとともに、優れた殺菌性を有し、さらに繊維品への汚れの再付着の少ない洗濯用液体殺菌洗浄剤組成物を提供するとともに、それを用いた繊維品における非エンベロープウイルスの不活化方法を提供することを、その目的とする。
【課題を解決するための手段】
【００１９】
上記の目的を達成するため、本発明は、非エンベロープウイルスが付着した繊維品を、殺菌、洗浄、非エンベロープウイルスの不活化を行うために洗濯機にかけて洗濯する際、０．１〜０．５質量％の濃度範囲となるよう希釈された状態で用いられる洗濯用液体殺菌洗浄剤組成物であって、下記の（Ａ）〜（Ｃ）成分が下記の割合で含有されており、０．１質量％水溶液の２５℃におけるｐＨが１０．５〜１１．５の範囲であり、非エンベロープウイルスに対する不活化性を有する洗濯用液体殺菌洗浄剤組成物を第１の要旨とする。
（Ａ）アルキルジメチルベンジルアンモニウムクロライドである第四級アンモニウム塩  １〜１０質量％。
（Ｂ）アルカリ水酸化物、炭酸塩、ケイ酸塩およびアルカノールアミンからなる群より選ばれる少なくとも一種であり、少なくともアルカリ水酸化物、炭酸塩、ケイ酸塩のいずれかを含むアルカリ剤  １〜２０質量％。
（Ｃ）クエン酸、グルコン酸、コハク酸、トリポリリン酸、ヒドロキシエチルエチレンジアミントリ酢酸、エチレンジアミンテトラ酢酸、ジエチレントリアミンペンタ酢酸、ニトリロトリ酢酸、トリエチレンテトラミンヘキサ酢酸、ホスホン酸類、Ｌ−グルタミン酸二酢酸、メチルグリシン二酢酸およびそれらのアルカリ金属塩からなる群より選ばれる少なくとも一種であるキレート剤  ３〜１０質量％。
【００２０】
また、本発明は、そのなかでも、特に、上記（Ａ）〜（Ｃ）成分とともに、（Ｄ）成分として、非イオン界面活性剤を１〜３０質量％含有する洗濯用液体殺菌洗浄剤組成物を第２の要旨とする。
【００２３】
また、本発明は、それらのなかでも、特に、上記非エンベロープウイルスが、カリシウイルス科ウイルスである洗濯用液体殺菌洗浄剤組成物を第３の要旨とし、そのなかでも、特に、上記カリシウイルス科ウイルスがノロウイルス属ウイルスである洗濯用液体殺菌洗浄剤組成物を第４の要旨とする。
【００２４】
さらに、本発明は、上記第１〜第４のいずれかの要旨である洗濯用液体殺菌洗浄剤組成物を、０．１〜０．５質量％の濃度範囲となるよう希釈して洗濯液として用いて、非エンベロープウイルスが付着した繊維品を洗濯機にかけて洗濯することにより、上記繊維品に対して、殺菌、洗浄とともに、非エンベロープウイルスの不活化を行う、繊維品における非エンベロープウイルスの不活化方法を第５の要旨とする。
【００２６】
すなわち、本発明者らは、前記課題を解決するために鋭意研究を行った結果、アルキルジメチルベンジルアンモニウムクロライドと、特定のアルカリ剤と、特定のキレート剤とを組み合わせ、２５℃における０．１質量％の水溶液のｐＨを１０．５〜１１．５の範囲に調整することにより、非エンベロープウイルスに対する不活化効果を有するとともに、充分な除菌力、洗浄力を発揮し、しかも、繊維品への汚れの再付着が生じにくく、また、繊維品へのダメージの少ない洗濯用液体殺菌洗浄剤組成物が得られることを見いだし、本発明に到達した。
【発明の効果】
【００２７】
本発明の非エンベロープウイルスに対する不活化性を有する洗濯用液体殺菌洗浄剤組成物は、上述のとおり、非エンベロープウイルスに対する不活化性を有するとともに、優れた除菌効果および洗浄効果を発揮し、しかも衣料等の繊維品への汚れの再汚染が少ないという利点を有する。したがって、嘔吐物や尿、便等の付着した衣料、お絞り、タオル、シーツ、さらには、介護を必要とする者が着用する介護用衣料、新生児の衣料等を、一回の洗浄で衛生的に、しかも清浄に仕上げることができる。
【００２８】
そして、本発明のなかでも、特に、上記（Ａ）〜（Ｃ）成分とともに、（Ｄ）成分として、非イオン界面活性剤を１〜３０質量％含有する洗濯用液体殺菌洗浄剤組成物は、より一層優れた洗浄効果を奏するものとなり、好適である。
【００３１】
そして、本発明のなかでも、特に、上記非エンベロープウイルスがカリシウイルス科ウイルスであるもの、とりわけ、上記カリシウイルス科ウイルスがノロウイルス属ウイルスであるものは、ウイルスに対する不活化性能が特に高く、好適である。
【００３２】
また、本発明の、繊維品における非エンベロープウイルスの不活化方法によれば、家庭用もしくは業務用の洗濯機を用いて、一般的な洗濯を行う場合と同様にして、上記洗濯用液体殺菌洗浄剤組成物によって簡単かつ効果的に非エンベロープウイルスの不活化を行うことができる。
【発明を実施するための形態】
【００３４】
つぎに、本発明を実施するための形態について、詳細に説明する。
【００３５】
本発明の洗濯用液体殺菌洗浄剤組成物（以下、「本組成物」という）は、アルキルジメチルベンジルアンモニウムクロライドの少なくとも一方である第四級アンモニウム塩（Ａ成分）と、特定のアルカリ剤（Ｂ成分）と、特定のキレート剤（Ｃ成分）とを含有し、０．１質量％水溶液の２５℃におけるｐＨ（ＪＩＳ  Ｚ−８８０２：１９８４「ｐＨ測定方法」）が１０．５〜１１．５の範囲に設定されたものである。
【００３６】
上記（Ａ）成分として用いられるアルキルジメチルベンジルアンモニウムクロライドは、洗浄対象となる繊維品の素材（綿、ポリエステル、ナイロン等）に左右されることなく、洗濯時においてどの繊維に対しても吸着されることが少ないため、繊維品の被洗浄面に付着している非エンベロープウイルスの不活化および細菌の除去に効果的に寄与し、さらに繊維品に対する再汚染が少ない仕上がりとなる効果に寄与する。また、入手容易である点においても優れている。
【００３７】
上記（Ａ）成分は、単独で用いても、二種以上のものを組み合わせて用いてもよい。そして、上記アルキルジメチルベンジルアンモニウムクロライドのなかでも、特に、アルキル基における炭素数の数が１０以下であるものを用いた場合、とりわけ繊維品に対し再汚染防止性能に優れたものとなり、好適である。したがって、デシルジメチルベンジルアンモニウムクロライド（アルキル基の炭素数が１０）や、オクチルジメチルベンジルアンモニウムクロライド（アルキル基の炭素数が８）を用いることが、特に好適である。
【００３８】
そして、上記（Ａ）成分の配合量は、本組成物全体に対し、１〜１０質量％の範囲内に設定しなければならない。すなわち、１質量％未満の配合量では、非エンベロープウイルスの不活化と細菌除去の効果に乏しく、一方、１０質量％を超えると、多量の第四級アンモニウムカチオンが汚れを抱き込み、繊維品への再汚染が多くなるからである。上記範囲のなかでも、特に、３〜８質量％の範囲に設定することが、非エンベロープウイルスの不活化および細菌の除去ならびに、汚れの再汚染防止の点から好適である。
【００３９】
また、本発明で用いられる（Ｂ）成分のアルカリ剤は、繊維の被洗浄面に付着している非エンベロープウイルスの不活化および細菌に対する除去作用の向上と、繊維品に対する洗浄効果に寄与する。上記（Ｂ）成分としては、アルカリ水酸化物、炭酸塩、ケイ酸塩およびアルカノールアミンがあげられる。これらは単独で用いても二種以上を組み合わせて用いてもよいが、少なくともアルカリ水酸化物、炭酸塩、ケイ酸塩のいずれかを含んでいなければならない。
【００４０】
上記（Ｂ）成分の配合量は、本組成物全体に対し、１〜２０質量％の範囲内に設定しなければならない。すなわち、１質量％未満の配合量では非エンベロープウイルスの不活化効果、除菌効果および洗浄効果の向上効果に乏しく、２０質量％を超えると非エンベロープウイルスの不活化効果、除菌効果および洗浄効果は飽和になり、経済的に不利になるとともに、繊維品へのダメージが大きくなるからである。上記範囲のなかでも、特に、５〜１５質量％の範囲に設定することが、非エンベロープウイルスの不活化効果の向上および除菌効果の向上の点ならびに繊維品のダメージの点から好適である。
【００４１】
さらに、本発明で用いられる（Ｃ）成分のキレート剤は、非エンベロープウイルスの不活化効果の向上、細菌に対する除菌効果の向上と、繊維品に対する洗浄効果に寄与する。上記（Ｃ）成分としては、クエン酸、グルコン酸、コハク酸、トリポリリン酸、ヒドロキシエチルエチレンジアミントリ酢酸、エチレンジアミンテトラ酢酸、ジエチレントリアミンペンタ酢酸、ニトリロトリ酢酸、トリエチレンテトラミンヘキサ酢酸、ホスホン酸類、Ｌ−グルタミン酸二酢酸、メチルグリシン二酢酸、およびそのアルカリ金属塩が用いられる。これらは単独または二種以上を組み合わせて用いてもよい。
【００４２】
上記（Ｃ）成分の配合量は、本組成物全体に対し、３〜１０質量％の範囲内に設定しなければならない。すなわち、１質量％未満の配合量では非エンベロープウイルスの不活化効果、除菌効果および洗浄効果の向上効果に乏しく、２０質量％を超えると、経済的に不利になるからであり、特に、３〜１０質量％の範囲に設定することが、除菌効果の向上、洗浄効果および経済性の点から好適だからである。
【００４３】
また、本組成物は０．１質量％水溶液の２５℃におけるｐＨ（ＪＩＳ  Ｚ−８８０２：１９８４「ｐＨ測定方法」）が１０．５〜１１．５の範囲に設定されなければならない。１０.０未満のｐＨでは、非エンベロープウイルスの不活化効果、除菌効果が乏しく、１２．０を超えると、繊維品へのダメージが大きくなるのであり、そのなかでも特に、１０．５〜１１．５の範囲に設定することが、非エンベロープウイルスの不活化効果の向上、繊維品へのダメージの減少の点から必要である。
【００４４】
上記（Ａ）〜（Ｃ）成分を含有し０．１質量％水溶液の２５℃におけるｐＨが１０．５〜１１．５の範囲に設定された非エンベロープウイルスの不活化性を有する洗濯用液体除菌洗浄剤組成物は、嘔吐物や尿、便により形成された不衛生な汚れに対し、優れた非エンベロープウイルスの不活化効果、除菌効果および洗浄効果を発揮し、しかも衣料等の繊維品への汚れの再汚染が少ないという利点があるとともに、繊維品へのダメージが少ないという利点を有する。したがって、嘔吐物等が付着した衣料、お絞り、タオル、シーツ、さらには、介護を必要とする者が着用する介護用衣料、新生児の衣料等の繊維品に影響を与えることなく、一回の洗浄で衛生的に、しかも清浄に仕上げることができる。
【００４５】
なお、本組成物には、上記（Ａ）〜（Ｃ）成分とともに、（Ｄ）成分として非イオン界面活性剤を用いると、さらに優れた効果を得ることができ好適である。上記非イオン界面活性剤は、主に洗浄効果の向上に寄与するもので、上記非イオン界面活性剤としては、例えば、炭素数が８〜２２、好ましくは１２〜１８の直鎖または分岐鎖を有する、第１級または第２級アルコールに対してエチレンオキサイドの平均付加モル数が５〜２０、好ましくは６〜１５であるポリオキシエチレンアルキルエーテル、ポリオキシエチレンアルケニルエーテル、ポリオキシエチレンアルキレンフェニルエーテル、ポリオキシエチレンポリオキシプロピレンアルキルエーテル、ポリオキシエチレンポリオキシプロピレンアルケニルエーテル、ポリオキシアルキレングリコール脂肪酸エステル、アルキルアミンエチレンオキサイド付加物等があげられる。これらは単独または二種以上を組み合わせて用いてもよい。
【００４６】
上記（Ｄ）成分を用いる場合、その配合量は、本組成物全体に対し、１〜３０質量％の範囲内に設定することが好ましい。すなわち、１質量％未満の配合量では、繊維品に対する洗浄効果の向上効果に乏しく、３０質量％を超えると、洗浄効果は飽和となり経済的に不利になるおそれがあるからである。なお、上記範囲のなかでも、特に３〜２０質量％の範囲に設定することが、とりわけ除菌効果の向上、洗浄効果および経済性の点から好適である。
【００４７】
本発明の非エンベロープウイルスの不活化効果を有する洗濯用液体殺菌洗浄剤の対象とするウイルスとしては、エンベロープを持たない一本鎖（＋）ＲＮＡウイルス、一本鎖（−）ＲＮＡウイルス、二本鎖ＲＮＡウイルス、一本鎖ＤＮＡウイルス、および二本鎖ＤＮＡウイルスがあげられる。これらのウイルスとしては、カリシウイルス科、ピコルナウイルス科、パルボウイルス科、パピローマウイルス科、ポリオーマウイルス科、アデノウイルス科に属するウイルスがあげられる。
【００４８】
本発明のウイルス不活化効果は、これらの中でも、カリシウイルス科ウイルス（一本鎖（＋）ウイルス）に対する不活化効果に優れており、カリシウイルス科ウイルスの中でも、ノロウイルス属およびサポウイルス属に属するウイルスに対する不活化効果に優れ、特にノロウイルス属に属するウイルスに対する不活化効果に優れている。
【００４９】
なお、本発明において「ウイルスの不活化」とは、ウイルスの感染力や増殖力を除去もしくは著しく低下させることを意味する。したがって、必ずしもウイルス粒子や核酸（ＲＮＡ）を変性させる必要や崩壊させる必要はなく、ウイルスや宿主細胞の表面への吸着やウイルスと酵素との結合等により、結果的にウイルスの感染力や増殖力を低減もしくは阻害することができればよい。
【００５０】
本発明の非エンベロープウイルスの不活化は、家庭用および業務用の洗濯機を用いて、一般の洗濯用洗剤と同様の使用方法で本組成物を使用することにより達成することができ、特に、本組成物を０．１〜０．５質量％の濃度範囲に希釈して使用することが望ましい。すなわち、この濃度範囲の希釈液を洗濯に用いると、とりわけ、非エンベロープウイルスに対する不活化性能と細菌除去性能、そして洗浄性能と再汚染防止性能がバランスよく発揮されるからである。
【００５１】
また、本組成物には、任意成分として、本発明の効果を妨げない範囲において、プロピレングリコール、エチルアルコール等の溶剤、再汚染防止剤、ｐＨ調整剤、粘度調整剤、酵素、酵素安定化剤、蛍光増白剤、染料、香料、消臭剤、金属腐食防止剤等を配合することができる。なお、上記溶剤は、上記（Ａ）〜（Ｄ）成分の安定化剤、可溶化剤等として、（Ａ）〜（Ｄ）成分に添加含有されているものであっても、別途任意に添加されるものであってもよい。
【００５２】
なお、本組成物は、通常、上記（Ａ）〜（Ｃ）成分、もしくは（Ａ）〜（Ｄ）成分に対して、任意成分と水とを加えることによって、希釈された液体組成物として調製される。
【００５３】
上記水としては、水道水、軟水、イオン交換水、純水、精製水等があげられ、好ましくは、軟水、イオン交換水、純水が用いられる。これらも、単独で用いても二種以上を組み合わせて用いることができる。そして、上記水は、本組成物全体が１００質量％となるように、バランスとして残質量％が配合される。
【実施例】
【００５４】
以下、本発明の実施例について、比較例と併せて詳細に説明する。なお、本発明は、これらの実施例に限定されるものではない。
【００５５】
〔実施例１〜２９、参考例１〜１１、比較例１〜１３〕
後記の表１〜表１０に記載した組成の非エンベロープウイルスの不活化性を有する洗濯用液体殺菌洗浄剤組成物（以下、供試組成物という）を調製し、そのネコカリシウイルスに対する不活化性、一般細菌に対する除菌力、洗浄力、汚れの再汚染防止性の各試験項目について、下記の方法で試験を行って評価した。その結果を、上記表１〜表１０に併せて示す。なお、表中の各成分の詳細は、以下の通りであり、表中の組成を示す数値は、各成分の有効含有量（質量％、純分換算）で示している。
【００５６】
〔Ａ成分〕
＊第四級アンモニウム塩１
：アルキル（Ｃ１２−１６）ジメチルベンジルアンモニウムクロライド
（クラリアントジャパン社製／ドジゲン２２６）
＊第四級アンモニウム塩２
：ジオクチルジメチルアンモニウムクロライド
（ロンザジャパン社製／バーダックＬＦ  ８０）
＊第四級アンモニウム塩３
：デシルジメチルベンジルアンモニウムクロライド
（試作品１）
＊第四級アンモニウム塩４
：オクチルジメチルベンジルアンモニウムクロライド
（試作品２）
＊第四級アンモニウム塩５
：ジデシルジメチルアンモニウムクロライド
（ロンザジャパン社製／バーダック２２８０）
【００５７】
〔Ｂ成分〕
＊アルカリ剤１
：水酸化ナトリウム
（４８質量％苛性ソーダ／旭硝子社製）
＊アルカリ剤２
：メタ珪酸ナトリウム五水塩
（メタ珪酸ナトリウム五水塩結晶／広栄化学社製）
＊アルカリ剤３
：モノエタノールアミン
（日本触媒社製／モノエタノールアミン９０）
【００５８】
〔Ｃ成分〕
＊キレート剤１
：エチレンジアミンテトラ酢酸四ナトリウム
（ＢＡＳＦ社製／トリロンＢ）
＊キレート剤２
：ニトリロトリ酢酸三ナトリウム
（ＢＡＳＦ社製／トリロンＡ９２Ｒ）
【００５９】
〔Ｄ成分〕
＊非イオン界面活性剤１
：ポリオキシエチレンアルキルエーテル、炭素数Ｃ９−１１の第一級アルコールのエチレンオキサイド１０モル８モル付加物
（ジェル化学社製／ネオドール９１−８）
＊非イオン界面活性剤２
：ポリオキシエチレンアルキルエーテル、炭素数Ｃ１２−１４の第二級アルコールのエチレンオキサイド１２モル付加物
（日本触媒社製／ソフタノール１２０）
【００６０】
〔ネコカリシウイルスに対する不活化試験〕
（試験方法）
各供試組成物を、水道水を用いて０．１５質量％に希釈した。この供試薬剤０．１５質量％水溶液２７０μｌとネコカリシウイルスＦ９株（ＦＣＶ）３０μｌを１０分間接触させた後、α−Ｍｉｎｉｍｕｍ  Ｅｓｓｅｎｔｉａｌ  Ｍｅｄｉｕｍ（α−ＭＥＭ）（和光純薬工業社製）で１０倍に希釈し、さらに段階的に１０倍希釈を行った。そして、あらかじめ９６穴マイクロプレートに培養しておいた猫腎臓細胞（ＣＲＦＫ）に、５０μｌのα−ＭＥＭを加え、そこに先に段階希釈した液を加えた後、３７℃、５％ＣＯ2存在下で４日間培養し、細胞変性有無を確認した。また、供試薬剤の代わりに超純水を用いたものをブランクとし、上記と同様にして、細胞変性の有無を確認した。そして、これらの差から供試薬剤によるＦＣＶのＬｏｇ  Ｒｅｄｕｃｔｉｏｎ（対数減少値）を算出し、以下の判定基準で評価した。
【００６１】
（判定基準）
○：Ｌｏｇ  Ｒｅｄｕｃｔｉｏｎが４以上。
△：Ｌｏｇ  Ｒｅｄｕｃｔｉｏｎが２以上、４未満。
×：Ｌｏｇ  Ｒｅｄｕｃｔｉｏｎが２未満。
なお、△、〇を実用性のあるものとした。
【００６２】
〔除菌力試験〕
（試験方法）
排泄物中の細菌モデルとして、大腸菌（Ｅ．Ｃｏｌｉ  ＡＴＣＣ１１２２９）を用い、下記の方法によって、除菌力を評価した。すなわち、まず、各供試組成物を５０ｐｐｍ（ＣａＣＯ3として）の硬水で０．１５質量％に希釈した。つぎに、細菌数が１０8個となるように調整した菌液１００μｌを１０ｇの繊維に付着させた後、上記希釈液と細菌付着繊維とを混合して供試組成物と細菌を接触させた。１０分間後、接触液１ｍｌを取り出して９ｍｌ薬剤不活化リン酸バッファーに加え、同様の操作を行って段階的に希釈した後、標準寒天培地（栄研化学社製）にて混釈培養し、生存菌数を測定した。そして、下記の式（１）で求められる接触菌数と生存菌数の常用対数値の差を除菌活性値とし、下記４段階の評価基準により評価した。
【００６３】
〔数１〕
除菌活性値＝Ｌｏｇ（接触菌数−生存菌数）    …（１）
【００６４】
（評価基準）
◎：非常に除菌力に優れる（除菌活性値が２以上）。
○：除菌力に優れる（除菌活性値が１以上２未満）。
△：やや除菌力に劣る（除菌活性値が０．５以上１未満）。
×：除菌力に劣る（除菌活性値が０．５未満）。
なお、◎および○を実用性があるものとした。
【００６５】
〔洗浄力試験〕
（試験方法）
排泄物汚れのモデルとして、試験用のタンパク質含有汚染布（ＥＭＰＡ１１１、Ｔｅｓｔｆａｂｒｉｃｓ社製）を用い、下記の方法によって、洗浄力を評価した。すなわち、まず、各供試組成物０．１５ｇを水道水に希釈した（洗剤使用濃度０．１５質量％）。そして、上記希釈液にＥＭＰＡ１１１を入れ、洗浄装置（Ｔｅｒｇ−Ｏ−Ｔｏｍｅｔｅ、大栄科学精器製作所社製）を用いて２５℃で１０分間の洗浄を行った後、下記の式（２）で求められる洗浄率にもとづき、下記４段階の評価基準により評価した。
【００６６】
〔数２〕
洗浄率（％）＝〔（Ａ−Ｂ）／（Ｃ−Ｂ）〕×１００  …（２）
Ａ：汚染布洗浄後の反射率、Ｂ：汚染布洗浄前の反射率、Ｃ：白布の反射率
【００６７】
（評価基準）
◎：非常に洗浄力に優れる（洗浄率が９０％以上）。
○：洗浄力に優れる（洗浄率が７０％以上９０％未満）。
△：やや洗浄力に劣る（洗浄率が６０％以上７０％未満）。
×：洗浄力に劣る（洗浄率が６０％未満）。
なお、◎および○を実用性があるものとした。
【００６８】
〔再汚染防止性試験〕
（試験方法）
排泄物汚れのモデルとして、上記の試験方法と同様、試験用のタンパク質含有汚染布（ＥＭＰＡ１１１、Ｔｅｓｔｆａｂｒｉｃｓ社製）を用い、１００％綿ブロードからなる白布とともに洗濯して、下記の方法に従って白布への再汚染度合いを評価した。すなわち、まず、前処理として、蛍光剤の含まれていない洗剤を標準使用量だけ湯（４０〜５０℃）に溶かし、この洗浄液で３回、上記白布を洗浄した後、泡がなくなるまで充分にすすいだ。そして、各供試組成物０．１５ｇを水道水に希釈した（洗剤使用濃度０．１５質量％）後、各希釈液にＥＭＰＡ１１１と白布を入れ、洗浄装置（Ｔｅｒｇ−Ｏ−Ｔｏｍｅｔｅｒ、大栄科学精器製作所社製）を用いて２５℃で１０分間の洗浄を行い、白布に対する再汚染度合いを目視により評価して下記の４段階の評価基準により評価した。
【００６９】
（評価基準）
◎：汚れの再汚染がない。
○：汚れの再汚染が殆どない。
△：汚れの再汚染がある。
×：汚れの再汚染が顕著である。
なお、◎、○、△を実用性があるものとした。
【００７１】
【表１】
0006444104.tif 000002
【００７２】
【表２】
0006444104.tif 000003
【００７３】
【表３】
0006444104.tif 000004
【００７４】
【表４】
0006444104.tif 000005
【００７５】
【表５】
0006444104.tif 000006
【００７６】
【表６】
0006444104.tif 000007
【００７７】
【表７】
0006444104.tif 000008
【００７８】
【表８】
0006444104.tif 000009
【００７９】
【表９】
0006444104.tif 000010
【００８０】
【表１０】
0006444104.tif 000011
【００８１】
上記の結果から、実施例品は、いずれも概ね良好な評価が得られており、実用性が高いことがわかる。一方、比較例品は、いずれも実用性のない評価が含まれており、実用性に問題があることがわかる。
【産業上の利用可能性】
【００８２】
本発明は、非エンベロープウイルスの不活化と細菌除去を行うことができ、しかも洗浄性と再汚染防止性にも優れた洗濯用液体殺菌洗浄剤組成物の提供に利用することができる。